(57)【特許請求の範囲】
【請求項１】
ハンドルに設けられた枢支軸を、調理器本体の側面からその内側に挿入し、この枢支軸を介してハンドルを調理器本体の前後方向に回動可能に取り付けたハンドル付き調理器において、
調理器本体の前方側へのハンドルの回動時に、その回動動作に対して制動力を加える制動手段を設けたことを特徴とするハンドル付き調理器。
【請求項２】
制動手段は、枢支軸の周面の一部に凸部を設けるとともに、この凸部と隣接して調理器本体にストッパを設け、前記凸部にはその角部にＣ面取りによる傾斜面を形成し、ハンドルが調理器本体の前方側に所定の角度だけ回動したときに、前記凸部の傾斜面を前記ストッパの側縁に当接させてその回動に対して制動力を加え、この制動力を越える回動力がハンドルに加わったときには、枢支軸が調理器本体の側面の外方側に弾性的に変位して前記凸部の傾斜面が前記ストッパの側縁を乗り越えて通過するようにしたことを特徴とする請求項１に記載のハンドル付き調理器。
【発明の詳細な説明】
【０００１】
【発明の属する技術分野】
この発明は、キャリング用のハンドルを備えたジャー兼用炊飯器や湯沸し保温ポット等のハンドル付き調理器に関する。
【０００２】
【従来の技術】
一般に、ジャー兼用炊飯器や湯沸し保温ポット等の調理器においては、その本体にほぼ逆Ｕ字状をなすキャリング用のハンドルが回動自在に取り付けられ、このハンドルを介して調理器を持ち運ぶようになっている。
【０００３】
前記ハンドルは、その逆Ｕ字状の両端部の内側に枢支軸が設けられ、これら枢支軸が調理器本体の側面からその内側に挿入され、これら枢支軸を介してハンドルが調理器本体の前後方向に回動可能に支持されている。そして調理器を持ち運ぶ際に、ユーザがハンドルを起立させ、このハンドルに手を掛けるものである。
【０００４】
【発明が解決しようとする課題】
ところで、起立したハンドルは自重により、あるいはユーザの操作により調理器本体の前方側あるいは後方側に倒れるが、一般に調理器本体の前面部には操作部が設けられ、この操作部に各種の操作スイッチが配設されており、このためハンドルが調理器本体の前方側に不用意に勢いよく倒れると、このハンドルで操作部の操作スイッチが誤って操作され、誤動作の原因となる恐れがある。
【０００５】
このような不都合を避けるためには、ハンドルが調理器本体の前方側に倒れないように心掛ける面倒で煩わしい配慮が必要となり、使い勝手が悪くなる。
そこで、ハンドルが調理器本体の前方側に倒れないようにストッパ機構を設けることが考えられるが、しかしストッパ機構によりハンドルの回動範囲を完全に規制してしまうと、ユーザが誤ってハンドルをその規制方向、すなわち調理器本体の前方側に強く押し付けたような場合に、その力でストッパ機構が壊れてしまう恐れがある。
【０００６】
この発明はこのような点に着目してなされたもので、その目的とするところは、ハンドルによる操作スイッチの誤操作を防止でき、またハンドルを調理器本体の前方側に強く押し付けたような場合にその力を緩和して吸収することができるハンドル付き調理器を提供することにある。
【０００７】
【課題を解決するための手段】
この発明はこのような目的を達成するために、ハンドルに設けられた枢支軸を、調理器本体の側面からその内側に挿入し、この枢支軸を介してハンドルを調理器本体の前後方向に回動可能に取り付けたハンドル付き調理器において、調理器本体の前方側へのハンドルの回動時に、その回動動作に対して制動力を加える制動手段を設けるようにしたものである。
【０００８】
そしてその制動手段としては、枢支軸の周面の一部に凸部を設けるとともに、この凸部と隣接して調理器本体にストッパを設け、前記凸部にはその角部にＣ面取りによる傾斜面を形成し、ハンドルが調理器本体の前方側に所定の角度だけ回動したときに、前記凸部の傾斜面を前記ストッパの側縁に当接させてその回動に対して制動力を加え、この制動力を越える回動力がハンドルに加わったときには、枢支軸が調理器本体の側面の外方側に弾性的に変位して前記凸部の傾斜面が前記ストッパの側縁を乗り越えて通過するようにしたものである。
【０００９】
【発明の実施の形態】
以下、この発明の一実施形態について図面を参照して説明する。
図１には調理器の一例であるジャー兼用炊飯器の構造を、図２にはその外観を示してあり、符号１は調理器本体で、この調理器本体１は外枠２およびこの外枠２の内側に設けられた有底筒状の内枠３とからなり、前記内枠３内に鍋４が挿脱自在に収納されている。
【００１０】
内枠３の上部には支持突起６が環状に突出形成され、また鍋４の上部にはその外方に折曲するフランジ７が形成され、このフランジ７が前記支持突起６の上に載置され、これにより鍋４が内枠３内に安定して支持されている。
【００１１】
鍋４は熱伝導性に優れるアルミニウム等の金属材料からなる鍋主体８と、この鍋主体８の底面から側面下部に亘る部分の外面に接合されたフェライト系ステンレス等の磁性金属材料からなる発熱層９とで構成されている。
【００１２】
鍋４の外底面のほぼ中央部には、鍋センサ１０が弾性的に当接して接触し、この鍋センサ１０により鍋４の温度が逐次検出されるようになっている。また、内枠３の外面には、加熱手段として、ポリウレタン等の樹脂で絶縁されたリッツ線を螺旋状に巻いてなる電磁コイル１１が鍋４の発熱層９に対応して設けられている。そして前記電磁コイル１１による電磁誘導により前記発熱層９が発熱し、この発熱により鍋主体８が加熱されて炊飯が行なわれるようになっている。
【００１３】
調理器本体１の上部には蓋体１５が設けられ、この蓋体１５はその後端部がヒンジ機構１６を介して調理器本体１に回動可能に枢支され、前端部がクランプ機構１７を介して調理器本体１に係脱可能に係止されている。そして蓋体１４の下面に鍋４の上端の開口部を開閉する内蓋１８が設けられている。
【００１４】
前記ヒンジ機構１６にはスプリング１９が設けられ、このスプリング１９により蓋体１５が常時開方向に弾性的に付勢され、この付勢力で前記クランプ機構１７を解除したときに自動的に蓋体１５がヒンジ機構１６を支点に上方に回動して開くようになっている。
【００１５】
蓋体１５の中央部には、炊飯時の蒸気を外部に逃がす蒸気口２０が設けられ、前記内蓋１８の内側上面には、内蓋１８の下面に対する結露を防止する蓋ヒータ２１が取り付けられている。
【００１６】
調理器本体１の前面の上部には、斜めに傾斜する操作部２２が設けられ、この操作部２２の表面に炊飯スタートスイッチ、メニュー選択スイッチ、タイマ予約スイッチ等の各種の操作スイッチ２３が設けられ、また操作部２２の内側に操作ユニット２４が組み込まれている。
【００１７】
調理器本体１には、図２に示すようにほぼ逆Ｕ状をなすハンドル２５が調理器本体１の前後方向に対して回動可能に取り付けられている。このハンドル２５は合成樹脂によりその逆Ｕ字状の両端部が互いに弾性的に開閉し得るように形成されている。そしてこのハンドル２５の両端部の内側面に枢支軸２６が一体に突出形成され、これら枢支軸２６が図３および図４に示すように、調理器本体１の両側面に形成された取付孔２７内にその外側から内側に向って挿入され、これら枢支軸２６を介してハンドル２５が調理器本体１に対して回動可能に枢支されている。
【００１８】
ハンドル２５の両端部は、ハンドル２５がもつ弾性により調理器本体１の両側面にそれぞれ弾性的に当接しており、調理器本体１の内部に挿入された枢支軸２６に調理器本体１の外方側に向く外力が加わったときに、そのハンドル２５の弾性力に抗して枢支軸２６が調理器本体１の外方側に変位するようになっている。
【００１９】
調理器本体１内には、ハンドル２５が調理器本体１の前方側に向って一定の範囲だけ回動したときに、その回動動作に対して制動力を加える制動手段が設けられている。この制動手段は、図３ないし図５に示すように、前記枢支軸２６の先端部の周面の一部に突出形成された凸部３０と、この凸部３０に隣接して調理器本体１の内部に設けられた板片状のストッパ３１とで構成されている。
【００２０】
前記凸部３０は、枢支軸２６の周方向に沿って長いほぼ直方体状をなし、その直方体の両端部における枢支軸２６の先端側に面する角部には、Ｃ面取りが施され、これらＣ面取りにより凸部３０の突出端面から枢支軸２６の周面に向って傾斜する三角形状の傾斜面３２が形成されている。
【００２１】
前記ストッパ３１は調理器本体１の壁面から一体に突出するように形成され、枢支軸２６の側方に隣接し、かつ枢支軸２６の長手方向に沿って配置するように設けられている。そしてこのストッパ３１の一側縁と調理器本体１の内側面との間の幅Ｌ1 と、凸部３０の内側面と調理器本体１の内側面との間の幅Ｌ2 と、凸部３０の幅Ｌ3 との関係がＬ1 ＞Ｌ2 ＞Ｌ3 となっていて、図５に鎖線で示すように、枢支軸２６が回動して凸部３０がストッパ３１の配置側に移行したときに、凸部３０の傾斜面３２がストッパ３１の一側縁に当接するようになっている。
【００２２】
調理器本体１の後面の上部には、図１に示すように、ハンドル受け３３がほぼ水平に突出形成され、ハンドル２５が調理器本体１の後方側にほぼ水平に倒れたときにハンドル２５が前記ハンドル受け３３で支持されるようになっている。
【００２３】
なお、図３ないし図５にはハンドル２５の一端側の部分の構造を示してあるが、ハンドル２５の他端側の部分も同一の構造をなしているものである。
このように構成されたジャー兼用炊飯器を持ち運ぶときには、ハンドル２５をユーザが起立させ、このハンドル２５に手を掛けて持ち運ぶ。持ち運び後にハンドル２５が自重で、あるいはユーザの操作で調理器本体１の後方側に回動したときには、そのまま後方側に倒れてハンドル受け３３で支持される。
【００２４】
これに対し、ハンドル２５が調理器本体１の前方側に回動したときには、その回動が一定の角度まで進んだときにハンドル２５の回動動作に対して制動力が加わる。すなわち、ハンドル２５の枢支軸２６がハンドル２５と共に一定の角度まで回動すると、図５に鎖線で示すように、凸部３０の傾斜面３２がストッパ３１の一側縁に当接し、この当接でハンドル２５の回動動作に対して制動力が加わる。
【００２５】
したがって、ハンドル２５が自重で調理器本体１の前方側に回動した場合には、凸部３０の傾斜面３２がストッパ３１の一側縁に当接したときに、その制動力でハンドル２５の回動が停止してその停止位置に保持される。このためハンドル２５が調理器本体１の前面の上部に設けられている操作部２２に接触するようなことがなく、その操作部２２の操作スイッチ２３に対する誤操作が防止される。
【００２６】
また、ハンドル２５をユーザが調理器本体１の前方側に押し付けて回動した場合には、凸部３０の傾斜面３２とストッパ３１の一側縁との当接による制動力でユーザに注意が促され、このためハンドル２５を強く押し付けるようなことがなくなり、したがってハンドル２５が操作部２２に接触せず、その操作部２２の操作スイッチ２３に対する誤操作が防止される。
【００２７】
一方、ハンドル２５に加わる制動力を越える力でユーザがハンドル２５を調理器本体１の前方側に押し付けた場合には、凸部３０の傾斜面３２がストッパ３１の一側縁に当接するとともに、その傾斜面３２の傾きにより枢支軸２６がハンドル２５の弾性力に抗して調理器本体１の外方側に変位し、この変位により凸部３０がストッパ３１の一側縁を乗り越えて通過する。
【００２８】
このように枢支軸２６が弾性的に変位して凸部３０がストッパ３１の一側縁を乗り越えることにより、凸部３０やストッパ３１に加わる衝撃力や押圧力が軽減され、したがってこれら凸部３０とストッパ３１とで構成される制動手段の破壊が防止され、特に凸部３０の傾斜面３２とストッパ３１の一側縁との摩擦が軽減してその過度な摩耗が防止される。
【００２９】
そして枢支軸２６が弾性的に変位して凸部３０がストッパ３１の一側縁を乗り越えることにより、ハンドル２５の回動の勢いが弱まり、たとえハンドル２５が操作部２２に接触しても操作スイッチ２３に対する誤操作となることがない。
【００３０】
なお、前記実施形態においては、この発明を炊飯器に適用したが、炊飯器に限らず湯沸し保温ポット等のキャリング用のハンドルを備える他の調理器においても同様に適用することができる。
【００３１】
【発明の効果】
以上述べたようにこの発明によれば、ハンドルが調理器本体の前方側に回動したときにその回動に対して制動力を加える制動手段を設けたから、調理器本体の前面部の操作部にハンドルが勢いよく当接することがなく、したがってその操作部の操作スイッチに対する誤操作を防止でき、またハンドルを調理器本体の前方側に強く押し付けたときの力が制動手段により緩和されるからその制動手段の破壊を防止することができる。
【図面の簡単な説明】
【図１】この発明の一実施形態に係る調理器としての炊飯器の構造を示す断面図。
【図２】その炊飯器の外観を示す正面図。
【図３】その炊飯器に設けられた制動手段の構成を示す一部破断の斜視図。
【図４】その制動手段の構成を示す平面図。
【図５】その制動手段の構成を示す正面図。
【符号の説明】
１…炊飯器本体
２２…操作部
２３…操作スイッチ
２５…ハンドル
２６…枢支軸
３０…凸部
３１…ストッパ
３２…傾斜面
【図１】
0003639076.tif 000002
【図２】
0003639076.tif 000003
【図３】
0003639076.tif 000004
【図４】
0003639076.tif 000005
【図５】
0003639076.tif 000006